(57)【要約】【課題】端子がグリッドアレイ状に配置されているＩＣにおいて、実装基板へ高い機械的強度で接合できるとともに、そのための補強バンプを信号バンプと同じ大きさ、同じ配置構成としたＩＣ、及びそのＩＣを実装した電子機器を提供すること。【解決手段】複数のパッドのうち最外周のパッドを除く他のパッドを、内部回路に接続するための信号用パッドとし、最外周のパッドをその内周側の近接する信号用パッドに接続された補強用パッドとする。それら補強用パッドとそれに接続された信号用パッドに設けたバンプを、実装基板に一括して接合可能にする。【選択図】      図４
2005101031.tif 000002
【特許請求の範囲】
【請求項１】
一面の所定の領域に実質的に同じ大きさの複数のパッド及びこれらのパッドに設けられた実質上同じ大きさの複数のバンプが、グリッド状に配列されているグリッドアレイ型半導体集積回路装置において、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けていることを特徴とする半導体集積回路装置。
【請求項２】
前記最外周のパッドのうち、各隅部の３個の補強用パッドは当該隅部の内周部の１つの信号用パッドにパッド間接続配線によって接続されており、
前記最外周のパッドのうち、隅部以外の辺縁部の補強用パッドは内周部の対応する信号用パッドにそれぞれ接続配線によって接続されていることを特徴とする、請求項１記載のの半導体集積回路装置。
【請求項３】
前記隅部の３個の補強用パッドと信号用パッド間を接続するパッド間接続配線は、Ｘ字状の配線であり、
前記隅部以外の辺縁部の補強用パッドと内周部の対応する信号用パッドを接続する接続配線は直線状の配線であることを特徴とする、請求項２記載の半導体集積回路装置。
【請求項４】
一面の所定の領域に実質的に同じ大きさの複数のパッド及びこれらのパッドに設けられた実質上同じ大きさの複数のバンプが、グリッド状に配列されているグリッドアレイ型半導体集積回路装置であって、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けている半導体集積回路装置と、
前記補強用パッド及びその補強用パッドに接続されている前記信号用パッドの両方に対応する大きさの周縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記周縁電極の各々は対応する複数の前記バンプと一括して接合されることを特徴とする、半導体集積回路装置を実装した電子機器。
【請求項５】
一面の所定の領域に実質的に同じ大きさの複数のパッド及びこれらのパッドに設けられた実質上同じ大きさの複数のバンプが、グリッド状に配列されているグリッドアレイ型半導体集積回路装置であって、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けており、
前記最外周のパッドのうち、各隅部の３個の補強用パッドは当該隅部の内周部の１つの信号用パッドにパッド間接続配線によって接続されており、前記最外周のパッドのうち、隅部以外の辺縁部の補強用パッドは内周部の対応する信号用パッドにそれぞれ接続配線によって接続されている半導体集積回路装置と、
前記隅部の３個の補強用パッドとこれに接続された信号パッドとに対応する大きさの隅部電極と、前記辺縁部の補強用パッドとこれに接続された信号用パッドとに対応する大きさの辺縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記隅部電極の各々は対応する４個の前記バンプと一括して接合され、また前記辺縁電極の各々は対応する２つの前記バンプと一括して接合されることを特徴とする、半導体集積回路装置を実装した電子機器。
【請求項６】
一面の所定の領域に実質的に同じ大きさの複数のパッド及びこれらのパッドに設けられた実質上同じ大きさの複数のバンプが、グリッド状に配列されているグリッドアレイ型半導体集積回路装置において、
前記複数のパッドのうち対向する２辺の最外周のパッドを除く他のパッドを、内部回路に接続するための信号用パッドとし、
前記２辺の最外周のパッドを、その内周側の近接する前記信号用パッドに直線状のパッド間接続配線によって接続された補強用パッドとし、
前記信号用パッド及び補強用パッドのそれぞれにバンプを設けていることを特徴とする、半導体集積回路装置。
【請求項７】
一面の所定の領域に実質的に同じ大きさの複数のパッド及びこれらのパッドに設けられた実質上同じ大きさの複数のバンプが、グリッド状に配列されているグリッドアレイ型半導体集積回路装置であって、
前記複数のパッドのうち対向する２辺の最外周のパッドを除く他のパッドを、内部回路に接続するための信号用パッドとし、
前記２辺の最外周のパッドを、その内周側の近接する前記信号用パッドに直線状のパッド間接続配線によって接続された補強用パッドとし、
前記信号用パッド及び補強用パッドのそれぞれにバンプを設けている半導体集積回路装置と、
前記補強用パッド及びその補強用パッドに接続されている前記信号用パッドの両方に対応する大きさの周縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記周縁電極の各々は対応する複数の前記バンプと一括して接合されることを特徴とする、半導体集積回路装置を実装した電子機器。
【発明の詳細な説明】
【技術分野】
【０００１】
本発明は、端子がグリッドアレイ状に配置されている半導体集積回路装置、及びその半導体集積回路装置を実装した電子機器に関する。
【背景技術】
【０００２】
半導体集積回路チップ本体を収納しパッケージされている半導体集積回路装置（以下、ＩＣ）は、その端子構造として、一主面にはんだボールからなる電極バンプ（以下、バンプ）をグリッドアレイ状に配置するボールグリッドアレイ（ＢＧＡ）電極構造がある。ＢＧＡ電極構造のＩＣは、多端子化が容易で、外形寸法をほぼチップサイズに構成できる。このことから、ＢＧＡ電極構造のＩＣはチップサイズパッケージ（ＣＳＰ）と呼ばれる。また、ＢＧＡ電極構造のＩＣをプリント配線基板などの実装用基板（以下、実装基板）への実装面積もチップサイズ程度で済む。
【０００３】
このＢＧＡ電極構造のＩＣは、他の半導体装置やコンデンサ、抵抗などの電子部品とともに、カード用、携帯電話用、パソコン用など電気機器の実装基板へ、電気的、機械的に接続されて高密度実装される。
【０００４】
実装基板へＢＧＡ電極構造のＩＣを、リフロー処理を行って実装処理する。このリフロー時の加熱に依って、実装基板やＩＣが熱変形することがある。また、実装基板とＩＣパッケージとの熱膨張係数の相違によって使用中の熱サイクルに依る熱歪みが発生する。このような電気機器の製造時やその後の使用中の熱変形や熱歪みが、実装基板とＩＣとのＢＧＡ接合部に応力を生じさせ、接合が剥離することがあった。
【０００５】
ＢＧＡ接合部が剥離することを防止するために、４角形パッケージの４つのコーナーに補強のためのバンプ（補強バンプ）を設けて、機械的強度を向上することが提案されている（特許文献１参照）。
【特許文献１】特開２００１−６８５９４号公報
【発明の開示】
【発明が解決しようとする課題】
【０００６】
しかし、従来の補強方法では、機械的強度を向上するために、４つのコーナーに、１つの大きい補強バンプを用いたり、複数の補強バンプを集中的に配置したりして、実質的に信号バンプよりも断面積の大きい補強バンプを構成している。このように、信号バンプと形状や配置の異なる補強バンプを用いることにより、機械的強度は向上するものの、バンプが信号バンプと補強バンプとでその形状や配置が異なるものとなる。したがって、ＢＧＡ電極構造ＩＣの製造が複雑になったり、そのことが原因で新たな問題を生じる恐れが大きかった。
【０００７】
そこで、本発明は、端子がグリッドアレイ状に配置されているＩＣにおいて、実装基板へ高い機械的強度で接合できるとともに、そのための補強バンプを信号バンプと同じ大きさ、同じ配置構成としたＩＣ、及びそのＩＣを実装することにより信頼性の高い電子機器を提供することを目的とする。
【課題を解決するための手段】
【０００８】
請求項１のＩＣは、一面の所定の領域に実質的に同じ大きさの複数のパッド及びこれらのパッドに設けられた実質上同じ大きさの複数のバンプが、グリッド状に配列されているグリッドアレイ型ＩＣにおいて、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けていることを特徴とする。
【０００９】
請求項２のＩＣは、請求項１のＩＣにおいて、前記最外周のパッドのうち、各隅部の３個の補強用パッドは当該隅部の内周部の１つの信号用パッドにパッド間接続配線によって接続されており、
前記最外周のパッドのうち、隅部以外の辺縁部の補強用パッドは内周部の対応する信号用パッドにそれぞれ接続配線によって接続されていることを特徴とする。
【００１０】
請求項３のＩＣは、請求項２のＩＣにおいて、前記隅部の３個の補強用パッドと信号用パッド間を接続するパッド間接続配線は、Ｘ字状の配線であり、
前記隅部以外の辺縁部の補強用パッドと内周部の対応する信号用パッドを接続する接続配線は直線状の配線であることを特徴とする。
【００１１】
請求項４のＩＣを実装した電子機器は、一面の所定の領域に実質的に同じ大きさの複数のパッド及びこれらのパッドに設けられた実質上同じ大きさの複数のバンプが、グリッド状に配列されているグリッドアレイ型ＩＣであって、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けているＩＣと、
前記補強用パッド及びその補強用パッドに接続されている前記信号用パッドの両方に対応する大きさの周縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記周縁電極の各々は対応する複数の前記バンプと一括して接合されることを特徴とする。
【００１２】
請求項５のＩＣを実装した電子機器は、一面の所定の領域に実質的に同じ大きさの複数のパッド及びこれらのパッドに設けられた実質上同じ大きさの複数のバンプが、グリッド状に配列されているグリッドアレイ型ＩＣであって、
前記複数のパッドのうち最外周のパッドを除く他のパッドを、内部回路に接続するための信号用パッドとし、
前記最外周のパッドを、その内周側の近接する前記信号用パッドにパッド間接続配線によって接続された補強用パッドとし、
前記信号用パッド及び補強用パッドのそれぞれにバンプを設けており、
前記最外周のパッドのうち、各隅部の３個の補強用パッドは当該隅部の内周部の１つの信号用パッドにパッド間接続配線によって接続されており、前記最外周のパッドのうち、隅部以外の辺縁部の補強用パッドは内周部の対応する信号用パッドにそれぞれ接続配線によって接続されているＩＣと、
前記隅部の３個の補強用パッドとこれに接続された信号パッドとに対応する大きさの隅部電極と、前記辺縁部の補強用パッドとこれに接続された信号用パッドとに対応する大きさの辺縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記隅部電極の各々は対応する４個の前記バンプと一括して接合され、また前記辺縁電極の各々は対応する２つの前記バンプと一括して接合されることを特徴とする。
【００１３】
請求項６のＩＣは、一面の所定の領域に実質的に同じ大きさの複数のパッド及びこれらのパッドに設けられた実質上同じ大きさの複数のバンプが、グリッド状に配列されているグリッドアレイ型ＩＣにおいて、
前記複数のパッドのうち対向する２辺の最外周のパッドを除く他のパッドを、内部回路に接続するための信号用パッドとし、
前記２辺の最外周のパッドを、その内周側の近接する前記信号用パッドに直線状のパッド間接続配線によって接続された補強用パッドとし、
前記信号用パッド及び補強用パッドのそれぞれにバンプを設けていることを特徴とする。
【００１４】
請求項７のＩＣを実装した電子機器は、一面の所定の領域に実質的に同じ大きさの複数のパッド及びこれらのパッドに設けられた実質上同じ大きさの複数のバンプが、グリッド状に配列されているグリッドアレイ型ＩＣであって、
前記複数のパッドのうち対向する２辺の最外周のパッドを除く他のパッドを、内部回路に接続するための信号用パッドとし、
前記２辺の最外周のパッドを、その内周側の近接する前記信号用パッドに直線状のパッド間接続配線によって接続された補強用パッドとし、
前記信号用パッド及び補強用パッドのそれぞれにバンプを設けているＩＣと、
前記補強用パッド及びその補強用パッドに接続されている前記信号用パッドの両方に対応する大きさの周縁電極と、前記補強用パッドに接続されていない信号用パッドのそれぞれに対応する大きさの中央電極とを設けている実装基板とを有し、
前記中央電極の各々は対応する個々の前記バンプと個々に接合され、前記周縁電極の各々は対応する複数の前記バンプと一括して接合されることを特徴とする。
【発明の効果】
【００１５】
本発明によれば、ＢＧＡ（ボールグリッドアレイ）やＰＧＡ（ピングリッドアレイ）型のＩＣにおいて、同一形状、均一配置されているバンプ（ボール状電極、ポスト状電極等）やピン状電極を用いて、実装基板（製品基板）へ高い機械的強度で接合することが可能になる。したがって、実装基板が製造上の熱応力によって変形するような場合でも、バンプが実装基板から剥離するなどの不具合を低減できる。
【００１６】
また、グリッドアレイ状に配置される全てのバンプは、同一形状で均一配置されているから、ＩＣのパッケージング工程が容易である。
【００１７】
また、補強用バンプ及びそれと接続されている信号用バンプを１つのバンプと見なして、実装基板での電極（パッド）を対応して大きくし、より広い面積ではんだによる接合を行う。よって、実装強度が向上する。
【００１８】
また、ＩＣのテスト時に、補強パッドに設けられたバンプと、その近接した内周側の信号用パッドに設けられたバンプとを用いて、バンプとパッド間の接続状況の良否を電気的に容易に確認できる。したがって、バンプがパッドから剥離している場合には、ＩＣテスト時に容易に発見できる。
【発明を実施するための最良の形態】
【００１９】
以下、本発明のＩＣ、及びそのＩＣを実装した電子機器の実施例について、図を参照して説明する。図１〜図４は本発明の第１実施例を示す図である。
【００２０】
図１は本発明のＩＣの一主面側にグリッドアレイ状に配置されたパッドのパターンを示す図であり、図２はそのパッドに設けられたバンプのパターンを示す図である。図３は、図１、図２のＩＣが実装される実装基板上の電極（パッド）パターンを示す図である。図４は、本発明のＩＣが実装基板に実装された状態の模式的な断面図である。
【００２１】
図１において、ＩＣ１００は、一面の所定の領域に実質的に同じ大きさの複数のパッド１１０が、グリッド状に配列されている。その領域は、矩形状に形成されている。矩形としては、図のように正方形状でもよく、また長方形でも良い。パッド１１０の数は、図１の例に限らず、任意の数でよい。
【００２２】
そのグリッド状に配列された複数のパッド１１０のうち、最外周のパッドを除く他のパッドを、ＩＣの内部回路に接続するための信号用パッド１１０Ｓとする。これら信号用パッド１１０Ｓには、図１のように、番号１〜２５が付されている。
【００２３】
複数のパッド１１０のうち、最外周のパッドを補強用パッド１１０Ｆとする。これら補強用パッド１１０Ｆは、その内周側の近接する信号用パッド１１０Ｓにパッド間接続配線１２０によって接続されている。このように複数のパッド１１０の内の一部は、信号用パッド１１０Ｓと補強用パッド１１０Ｆからなる。
【００２４】
４つの各隅部の３個の補強用パッド１１０Ｆは、その隅部の内周部の１つの信号用パッド１１０Ｓ（番号１，５，９，１３）にパッド間接続配線１２０によって接続されている。その隅部のパッド間接続配線１２０は、Ｘ字状の配線である。
【００２５】
隅部以外の辺縁部の補強用パッド１１０Ｆは、内周部の対応する信号用パッド１１０Ｓ（番号２〜４，６〜８，１０〜１２，１４〜１６）にそれぞれパッド間接続配線１２０によって接続されている。その辺縁部のパッド間接続配線１２０は、直線状の配線である。
【００２６】
図２において、図１の複数のパッド１１０のそれぞれにボール状電極（ボール電極）に形成されたバンプ１３０が設けられている。これらのバンプ１３０は、全て略同一形状であり、パッド１１０と同様に均一にグリッド状に配列される。これにより、ボールグリッドアレイ構造（ＢＧＡ）のＩＣとなる。また、バンプの代わりに、ピン状電極（ピン電極）を用いてもよく、その場合にはピングリッドアレイ構造（ＰＧＡ）のＩＣとなる。これらのボール電極及びピン電極は通常用いられる電極材料で形成される。例えば、はんだや、金や、合金などで形成される。図２から判るように、パッド間接続配線１２０上にはバンプは形成しないようにして、各バンプ間の大きさのバラツキを小さくしている。
【００２７】
これらバンプ１３０は、それが設けられるパッド１１０が信号用パッド１１０Ｓであるか、あるいは補強用パッド１１０Ｆであるかに関わらずに、各パッド１１０に対応して設けられる。ただ、補強用パッド１１０Ｆはそれぞれ対応する信号用パッド１１０Ｓにパッド間接続配線１２０で接続されている
【００２８】
したがって、バンプ１３０の端子としての番号は、図２に表示するように、信号用パッド１１０Ｓの番号と対応して、番号１〜２５である。補強用パッド１１０Ｆに設けられるバンプ１３０は、補強用パッド１１０Ｆが接続される信号用パッド１１０Ｓの番号と同じ端子番号１〜１６となる。
【００２９】
このように、ＩＣ１００の補強用パッド１１０Ｆが信号用パッド１１０Ｓに接続配線１２０で接続されている。ＩＣ１００のテスト時に、補強用パッド１１０Ｆに設けられたバンプと、その近接した内周側の信号用パッドに設けられたバンプとを用いて、バンプ１３０とパッド１１０間の接続状況の良否を電気的に容易に確認できる。したがって、バンプ１３０がパッド１１０から剥離している場合には、ＩＣテスト時に容易に発見できる。
【００３０】
図３は、図１、図２のＩＣ１００を実装するための電極（パッド）パターンが設けられた実装基板２００の構成を示す図である。この図３では、実装基板２００をＩＣ１００と対応するように同じ大きさに破線で示しているが、実際には、他のＩＣやその他の部品などが搭載されるものであり、ＩＣ１００よりは十分に大きい。
【００３１】
図３において、実装基板２００には、ＩＣ１００のバンプ１３０を接合するための電極（パッド）が設けられている。即ち、接合するための電極は、中央部分に設けられている中央電極２１０と、周縁部に周縁電極として設けられている、辺縁電極２２０と隅部電極２３０である。
【００３２】
中央電極２１０の各々は、対応する個々のバンプ１３０と個々に接合される。中央電極２１０の各々は、補強用パッド１１０Ｆには接続されていないバンプ１３０、即ち番号で示すと番号１７〜２５のバンプと１対１に接合材料によって接合される。また、中央電極２１０は、一般的には多層配線技術等を用いて他のＩＣや部品に接続されている。
【００３３】
辺縁電極２２０の各々は、辺縁部の補強用パッド１１０Ｆとこれに接続された信号用パッド１１０Ｓとに対応する大きさの面積を有している。辺縁電極２２０の各々は、その辺縁部の補強用パッド１１０Ｆに設けられたバンプ１３０と、その辺縁部の補強用パッド１１０Ｆに接続された信号用パッド１１０Ｓに設けられたバンプ１３０との２つのバンプに一括して接合材料によって接合される。
【００３４】
隅部電極２３０の各々は、隅部の３個の補強用パッド１１０Ｆとこれに接続された信号用パッド１１０Ｓとに対応する大きさの面積を有している。隅部電極２３０の各々は、その隅部の補強用パッド１１０Ｆに設けられたバンプ１３０と、その隅部の補強用パッド１１０Ｆに接続された信号用パッド１１０Ｓに設けられたバンプ１３０との合計４つのバンプに一括して接合材料によって接合される。接合材料としては、ＩＣ２００のバンプ１３０を、実装基板２００の電極２１０，２２０，２３０に電気的且つ機械的に接合できるものであれば良い。例えば、この接合材料として、過熱によって溶融し、バンプ１３０をパッドに接合できるクリームはんだでよい。
【００３５】
辺縁電極２２０及び隅部電極２３０は、一般的には、実装基板２００表面の配線２６０を介して他のＩＣや部品に接続されるが、実装基板２００内部の多層配線２７０（図４参照）を介して接続しても良い。また、中央電極２１０は、スルーホール２５０と多層配線２７０を介して他のＩＣや部品に接続されることが望ましい。
【００３６】
なお、図３において、一部の辺縁電極２２０（図では、番号８の信号用パッド１１０Ｓに対応する）を省略して配線用スペースとし、一部の中央電極（図では、番号２０，２１の信号用パッド１１０Ｓに対応する）からの配線２６０を引き出すようにしている。このように、必要に応じて一部の辺縁電極２２０を省略しても良い。
【００３７】
図４は、本発明の第１実施例のＩＣ１００が実装基板２００に実装された状態の模式的な断面図である。この図４は、実装された状態で、図３のＡ−Ａ線における断面を模式的に示している。
【００３８】
図４において、実装基板２００の電極２１０、２２０、２３０（但し、電極２３０は図示されていない）上に、接合材料としてのはんだ２４０が設けられる。一方、ＩＣ２００がそのグリッド状に配列されているバンプ１３０が、それぞれ中央電極２１０、辺縁電極２２０、隅部電極２３０に対向するように位置決めされて、各パッド上のはんだ２４０上に載置される。この状態で、加熱することによって、はんだ２４０及びバンプ１３０がリフローはんだ付けされて、電極２１０、２２０、２３０とバンプ１３０とが接合される。
【００３９】
この本発明の第１実施例によれば、ＢＧＡやＰＧＡ型のＩＣ１００において、同一形状、均一配置されているバンプ１３０（ボール状電極や、ピン状電極、ポスト状電極等）を用いて、実装基板２００へ高い機械的強度で接合することが可能になる。したがって、実装基板２００が製造上の熱応力によって変形するような場合でも、バンプ１３０が実装基板２００から剥離するなどの不具合を低減できる。
【００４０】
また、グリッドアレイ状に配置される全てのバンプ１３０は、同一形状で均一配置されているから、通常のＢＧＡやＰＧＡ型のＩＣと同じ工程でパッケージングできるから、パッケージング工程が容易である。
【００４１】
また、実装基板２００での周縁電極２２０，２３０を、補強用パッド１１０Ｆに設けられているバンプ１３０及び補強用パッド１１０Ｆと接続されている信号用パッド１１０Ｓに設けられているバンプ１３０とを１つのバンプと見なして、それらに対応するように設けている。そして、その周縁電極２２０，２３０は、１つのバンプと見なせる複数バンプ（２つあるいは４つ）に応じて大きくされ、その複数のバンプとより広い面積ではんだ等の接合材料による接合が行われる。これにより、実装強度が向上する。
【００４２】
また、図４では、多層配線技術を用いて基板中に配線がある場合を示したが、スルーホールを用いて、基板の裏面と表面とだけで配線するような基板でも構わない。
【００４３】
図５〜図７は本発明の第２実施例を示す図である。図５は本発明のＩＣの一主面側にグリッドアレイ状に配置されたパッドのパターンを示す図であり、図６はその電極に設けられたバンプのパターンを示す図である。図７は、図５、図６のＩＣが実装される実装基板上の電極パターンを示す図である。
【００４４】
この第２実施例では、ＩＣ１００′は、その一面の所定の矩形領域に実質的に同じ大きさの複数のパッド及びこれらのパッドに設けられた実質上同じ大きさの複数のバンプが、グリッド状に配列されているグリッドアレイ型ＩＣである。これは、第１実施例と同様である。
【００４５】
この第２実施例では、図５に示すように、ＩＣ１００′は、対向する２辺の最外周のパッドのみを補強用パッド１１０Ｆとして用いるように構成している。そして、その２辺の最外周の補強用パッド１１０Ｆを、その内周側の近接する信号用パッド１１０Ｓに直線状のパッド間接続配線１２０によって接続している。
【００４６】
一方、そのグリッド状に配列された複数のパッド１１０のうち、２辺の最外周のパッドを除く他のパッドを、ＩＣの内部回路に接続するための信号用パッド１１０Ｓとする。これら信号用パッド１１０Ｓには、図５のように、番号１〜３５が付されている。
【００４７】
バンプ１３０は、図６に示されるように、パッド１１０のそれぞれに対応して設けられる。したがって、バンプ１３０の構成は、図２におけるものと同様である。バンプ１３０の端子としての番号は、図６に表示するように、信号用パッド１１０Ｓの番号と対応して、番号１〜３５である。補強用パッド１１０Ｆに設けられるバンプ１３０は、補強用パッド１１０Ｆが接続される信号用パッド１１０Ｓの番号と同じ端子番号１〜７、１１〜１７となる。その他の構成は、第１実施例におけるものと同様である。
【００４８】
図７は、図５、図６のＩＣ１００′を実装するための電極パターンが設けられた実装基板２００′の構成を示す図である。この図７では、実装基板２００′をＩＣ１００′と対応するように同じ大きさで示しているが、実際には、他のＩＣやその他の部品などが搭載されるものであり、ＩＣ１００′よりは十分に大きい。
【００４９】
図７において、実装基板２００′には、ＩＣ１００′のバンプ１３０を接合するための電極パターンが設けられている。即ち、接合するための電極は、対向する２辺に周縁電極として設けられている辺縁電極２２０と、中央部分に設けられている中央電極２１０とである。
【００５０】
中央電極２１０のそれぞれは、対応する個々のバンプ１３０と接合される。中央電極２１０の各々は、補強用パッド１１０Ｆには接続されていないバンプ１３０、即ち番号で示すと番号８〜１０及び番号１８〜３５のバンプと１対１に接合材料によって接合される。
【００５１】
辺縁電極２２０は、辺縁部の補強用パッド１１０Ｆとこれに接続された信号用パッド１１０Ｓとに対応する大きさの面積を有している。辺縁電極２２０の各々は、その辺縁部の補強用パッド１１０Ｆに設けられたバンプ１３０と、その辺縁部の補強用パッド１１０Ｆに接続された信号用パッド１１０Ｓに設けられたバンプ１３０との２つのバンプに一括して接合材料によって接合される。この第２実施例では隅部電極は、存在しない。
【００５２】
第２実施例のＩＣ１００′が実装基板２００′に実装された状態で、図７のＡ−Ａ線における模式的な断面図は、図４と同様になる。
【００５３】
この第２実施例では、ＩＣ１００′の補強用パッド１１０Ｆが対向する２辺の最外周部のみに設けられている。このように、対向する２辺の最外周部のみに補強用パッドを設けたＩＣは、実装基板の変形が特定の方向に発生するような場合には、バンプが実装基板から剥離するなどの不具合を低減できる。したがって、グリッド状に配置されるバンプのうち、外部端子として使用されないバンプが少ない場合に有効に適用できる。その他、第１実施例と同様の効果を得ることができる。
【００５４】
なお、電極２２０，２３０上に接合材料としてはんだを載せたもののみ説明したが、電極２２０，２３０上にバンプ１３０と同様なバンプを形成し、そのバンプ同士を接続するようにしても構わない。
【図面の簡単な説明】
【００５５】
【図１】本発明の第１実施例のＩＣにおけるパッドパターンを示す図
【図２】本発明の第１実施例のＩＣにおけるバンプパターンを示す図
【図３】図１、図２のＩＣが実装される実装基板上の電極パターンを示す図
【図４】本発明のＩＣが実装基板に実装された状態の模式的な断面図
【図５】本発明の第２実施例のＩＣにおけるパッドパターンを示す図
【図６】本発明の第２実施例のＩＣにおけるバンプパターンを示す図
【図７】図５、図６のＩＣが実装される実装基板上の電極パターンを示す図
【符号の説明】
【００５６】
１００，１００′  ＩＣ
１１０Ｓ  信号用パッド
１１０Ｆ  補強用パッド
１２０  パッド間接続配線
１３０  バンプ
２００，２００′  実装基板
２１０  中央電極
２２０  辺縁電極
２３０  隅部電極
２４０  接合用はんだ
２５０  スルーホール
２６０  配線
２７０  多層配線
【図１】
2005101031.tif 000003
【図２】
2005101031.tif 000004
【図３】
2005101031.tif 000005
【図４】
2005101031.tif 000006
【図５】
2005101031.tif 000007
【図６】
2005101031.tif 000008
【図７】
2005101031.tif 000009